(57)【要約】【課題】寝具使用者の正しい横たわった仰臥姿勢に関した印または図形を寝具に表示して寝具使用者をその図形に沿わせて仰臥させることによって、寝具使用者に正しい横たわった仰臥姿勢をとらせることができる寝具を提供する。【解決手段】寝具使用者が寝具２を用いて横たわった仰臥姿勢でいるときの身体または身体の部位の前記寝具上の位置を指図する視認可能な印または図形４を前記寝具２に表示した姿勢指示表示を有する寝具。【選択図】図１
0003156658.tif 000002
【実用新案登録請求の範囲】
【請求項１】
寝具使用者が寝具を用いて横たわった仰臥姿勢でいるときの身体または身体の部位の前記寝具上の位置を指図する視認可能な印または図形を前記寝具に表示してなることを特徴とする姿勢指示表示を有する寝具。
【請求項２】
前記寝具はシーツ、敷布、マットレス、敷布団、枕、上掛け、掛け布団若しくは毛布またはそれらを包むカバー類であることを特徴とする請求項１記載の姿勢指示表示を有する寝具。
【請求項３】
前記印または図形はプリント、織り、縫い合わせその他の表示手段で形成されていることを特徴とする請求項１記載の姿勢指示表示を有する寝具。
【考案の詳細な説明】
【技術分野】
【０００１】
この考案は、シーツ、マットレス、敷布団、枕、上掛け、掛け布団、毛布またはそれらを包むカバー類の寝具に人の身体若しくはその部位が横たわる位置を指示する印または図形等の表示を施した寝具に関するものである。
【背景技術】
【０００２】
人間は、１日の約１／３の時間睡眠を取っている。この睡眠において人間は寝具の上に或いは寝具を用いて仰臥の姿勢やうつ伏せの姿勢で睡眠している。また睡眠でなく、単に休息のために、または治療やリハビリの目的で寝具の上に或いは寝具を用いて仰臥の姿勢で横たわる場合もある。
標準的には仰臥の姿勢では、真上から見て背骨が真直ぐで両手が体側にある姿勢を保つことが良いとされる。
【０００３】
この就寝時や休息時や治療・リハビリ時の横たわった姿勢が良くないと結局これが、生活習慣病として肩や腰に無理に余分な負担を掛け、高齢になり肩や腰の痛みが発生することも多いし、また休息や治療やリハビリの効果が得られないことも多い。
実験的に寝具上に仰臥状態で横たわった人を観察すると、本人は真直ぐに横たわっているつもりでも、横たわった仰臥姿勢が曲っている場合が多い。特に５０歳以上の人において、仰向けでまっすぐな寝姿を保っていないケースが散見されることから、真上から見てまっすぐな横たわった仰臥姿勢を保つことの自覚を促すことが将来に起こり得る肩や腰の痛みを出来るだけ回避するために必要である。
【０００４】
就寝中は就寝者が自分で横たわった仰臥姿勢を知ることはできないので、自分で横たわった仰臥姿勢を制御したり修正したりすることはできないが、就寝するために初めに横になる時の横たわった仰臥姿勢を正すだけでも就寝中の姿勢を正しく保つのに有効だとされている。しかし各人の横たわった仰臥姿勢が正しいかどうかを自分で、または周囲の人が正しく判断することは難しい場合もある。
【０００５】
また、休息の場合は寝具使用者が自分で気をつければ、真直ぐな或いは望ましい横たわった仰臥姿勢をとることもできるが、その場合でも何の指標もないと、自分の横たわった仰臥姿勢を自覚することができない場合が多い。
また医療施設においても、横たわった仰臥姿勢について医師は患者に立ち会って指導して、指示することができるが、医師が立ち会っていないときは、患者自身、介添者、看護師等は医師の指導通りの指示をすることが難しい場合もある。
【０００６】
このようなことから、本願考案は就寝者、健常者、患者その他の寝具使用者の正しい横たわった仰臥姿勢に関した印や図形を寝具に表示して寝具使用者を初めにその印や図形に沿わせて横たえることによって寝具使用者に正しい横たわった仰臥姿勢をとらせることができる寝具を考案したものである。
【０００７】
寝具に図形や印を表示したものとしては、特許文献１（特開２００３−３８３２３）や特許文献２（特開２００３−１３５２３４）に示された寝具がある。
【０００８】
しかし、特許文献１に示された印を付けた寝具類等はシーツや毛布などの寝具類あるいはタオルなどに印をつけて取り付けや折りたたみ、収納を容易にするもので、寝具使用者に正しい横たわった仰臥姿勢をとらせるためのものではない。
また特許文献２に示された人物図案化シーツは人物の図案をシーツに表示して、そのシーツを使用する寝具使用者に添寝の安心感や癒し効果を与え、また寝具使用者が要介護の被介護者である場合は介護者に床擦れ防止に必要な動作等を図示説明するようにしたものであって、寝具使用者に正しい横たわった仰臥姿勢を指示するためのものではない。
【先行技術文献】
【特許文献】
【０００９】
【特許文献１】特開２００３−０３８３２３
【特許文献２】特開２００３−１３５２３４
【考案の概要】
【考案が解決しようとする課題】
【００１０】
このようなことから寝具使用者に簡単に正しい横たわった仰臥姿勢をとらせることができる寝具の開発が望まれている。
【００１１】
この考案は上記の如き事情に鑑みてなされたものであって、寝具使用者の正しい横たわった仰臥姿勢に関した印または図形を寝具に表示して寝具使用者をその図形に沿わせて仰臥させることによって、寝具使用者に正しい横たわった仰臥姿勢をとらせることができる寝具を提供することを目的とするものである。
【課題を解決するための手段】
【００１２】
この目的に対応してこの発明の姿勢指示表示を有する寝具は寝具使用者が寝具を用いて仰臥姿勢でいるときの身体または身体の部位の前記寝具上の位置を指図する視認可能な印または図形を前記寝具に表示してなることを特徴としている。
【考案の効果】
【００１３】
本考案の寝具は、生活習慣病になりかねない癖のある寝姿を、寝具使用者が自分自身の自覚で正して、本来人間が有する滑らかな直線状の標準的な横たわった仰臥姿勢や健常者やリハビリ者、患者に望ましい個別の横たわった仰臥姿勢を保てるよう工夫したものであり、将来に起こり得る肩や腰の痛みを回避することが出来る。従って医療用の寝具をサポートするものとしても最適なものである。
【００１４】
特に請求項１に記載した考案では、寝具上の表示された印または図形と寝具使用者の身体または身体の部位の位置とを目視により対比して、寝具使用者が正しい横たわった仰臥姿勢をとっているかを自分自身で、または介添者が確認することができ、さらに身体または身体の部位を印または図形に沿わせることによって、容易に正しい横たわった仰臥姿勢をとることができる。
【００１５】
請求項２に記載した考案では、印または図形はシーツ、マットレス、敷布団、枕、上掛け、掛け布団もしくは毛布またはそれらを包むカバー類であって、表面に印または図形が表示し易いので、寝具使用者も介添者も使用が容易である。
【００１６】
請求項３に記載された考案では印または図形がプリント、織り、縫い合せその他の表示手段で構成されるので、印または図形の表示が容易である。
【図面の簡単な説明】
【００１７】
【図１】図形を表示したシーツの平面説明図。
【図２】図形を表示した他のシーツの平面説明図。
【図３】図形を表示した他のシーツの平面説明図。
【図４】シーツの使用状態を示す平面説明図。
【考案を実施するための形態】
【００１８】
以下この考案を実施するための形態を実施例について図面を参照しつつ説明する。
【実施例１】
【００１９】
図１において１は姿勢指示表示を有する寝具（以下実施例１においては単に「姿勢指示寝具」と称する）であり、姿勢指示寝具１としてはシーツ、マットレス、敷布団、枕、上掛け、掛け布団、毛布またはそれらを包むカバー類などの人の就寝時や身体を横たえたときに人の身体の下に敷き若しくは上に掛けまたは身体を包む寝具２を素材として構成されるが、この実施例１では寝具２の例としてシーツ３を用いている。
【００２０】
寝具２に図形４が表示されて姿勢指示寝具１が構成される。図形４は寝具２の上に横たわる寝具使用者の横たわった仰臥姿勢における身体または頭、手、腕、足若しくは胴体などの身体の部位が添いまたは一致させるべき寝具２上の場所を示す図形である。この図形を形成するときの寝具使用者の横たわった仰臥姿勢は一般の健常者の平均的な横たわった仰臥姿勢、個人または個々の患者の横たわった仰臥姿勢、科学的に良好な状態と考えられる横たわった仰臥姿勢など寝具使用者の健康に良いと考えられている横たわった仰臥姿勢などに関する図形である。この図形４としてこの実施例においては、寝具２の中央に上下に表示された縦線５と寝具２の上端部近傍で縦線５に直交する横線６とからなっている。
【００２１】
縦線５は寝具使用者の身体の頭、背骨、両手、両足と一致または添わせる線である。横線６は横たわった仰臥姿勢において両手を添わせる線ではなくて、身体が左右両側にバランス良く縦線５に真直ぐ直線状に添って位置していることを確認するための補助線であって、この確認動作をするときだけ両手を横線６上に置く。
【００２２】
図形４は身体の全体の姿勢を指示するものの他に、図２及び図３に示すように、身体の各部位の位置を示すものでもよい。図２の場合は頭部位置を指示する上部直線部分７、両側の足部の中間を指示する下部直線部分８、両掌位置を指示する左右直線部分１１、１２を表示し、それらの直線部分を総合して身体を連想的に指示するものである。
【００２３】
また図３の場合は図２に示す各直線部分の替りに具体的に頭、両踵、左右位置の体側の両掌を表示して身体の各部位及び連想的に身体の全体を表示するものである。
【００２４】
これらの図形４は、寝具使用者に標準的に適用可能な汎用的な図形か、または患者のように個別的な身体的事情がある場合には、寝具使用者に個別の図形である。この図形は手描き、切り抜き、プリント、染め、織り、縫い合せ、コンピュータの出力装置によるプリント、複写、印刷などの表示手段によって形成する。
【００２５】
このように構成された姿勢指示寝具１の作用は次の通りである。
図１に示す姿勢指示寝具１を例にして説明すると、寝具使用者１０は床に入って姿勢指示寝具１上に仰臥姿勢で身体を横たえ、背骨や両足を縦線５に沿わせて就寝時の横たわった仰臥姿勢をとる。さらに両手を横に広げて横線６に一致させ、姿勢に無理がないように身体を微調整して正しい横たわった仰臥姿勢を確認し、その確認が終了したら広げた両手を降ろして体側に置く。この姿勢で安静に睡眠に入り、または横たわる。
【００２６】
図２、図３に示す姿勢指示寝具１の場合は、身体の部位を示す図形にそれぞれ対応する身体部位を置いて横たわった仰臥姿勢をとり、睡眠に入り、または横たわる。
正しい横たわった仰臥姿勢を自分でとることができない患者やリハビリ者の場合は介添人が図形にしたがって患者に正しい横たわった仰臥姿勢をとらせる。
この姿勢指示寝具１では姿勢指示寝具１上に表示された図形４と寝具使用者の身体または身体の部位とを目視により比較して、寝具使用者が正しい横たわった仰臥姿勢をとることを自分自身で、または介添者が確認することができる。
【００２７】
寝具使用者が床に入って、未だ覚醒している就寝直前であれば、この姿勢指示寝具１によって寝姿を自分自身で確認できるが、それでも正しい横たわった仰臥姿勢で睡眠に入るのは体が歪曲した不正の姿勢で睡眠に入るのに較べて格段に良い結果を得ることができる。
寝具使用者自身が姿勢の制御をすることができない患者の場合でも、介添者は表示された図形にしたがって患者の姿勢を容易に正すことができる。
【００２８】
以上の説明から明らかな通り、この考察によれば、寝具使用者に正しい横たわった仰臥
姿勢を容易にとらせることができる姿勢指示寝具を得ることができる。
【産業上の利用可能性】
【００２９】
この考案の姿勢指示寝具では人が、仰向けに寝て、頭から足の先がまっすぐであること
が確認出来るように、敷布やマットレスカバー等の寝具の真ん中に、確実に目視出来る程
の縦線を入れる。
横線により、両手が線上にあることから、自身で肩が斜めに入っていないことが確認でき
る。
縦線については、腰から上を起こすことでも、目視により真っすぐに寝ていることが確認
出来る。こうしてこの考案の寝具は健常者の健康の自己管理にも、医療機関における患者
の治療、リハビリテーションにも使用することができる。
【符号の説明】
【００３０】
１    姿勢指示表示を有する寝具（姿勢指示寝具）
２    寝具
３    シーツ
４    図形
５    縦線
６    横線
７    上部直線部分
８    下部直線部分
１０  寝具使用者
１１  左直線部分
１２  右直線部分
【図１】
0003156658.tif 000003
【図２】
0003156658.tif 000004
【図３】
0003156658.tif 000005
【図４】
0003156658.tif 000006